(57)【特許請求の範囲】
【請求項１】
傘の柄部を被覆する傘の柄の袋であって、
前記傘の柄部の形状に馴染むように伸縮性を有するシートにより構成された柄カバー本体を有し、
前記柄カバー本体は、長手方向の一端が前記傘の柄部に対する挿入口に形成されると共に他端が封止部に形成された袋状をなし、
前記柄カバー本体の一端の前記挿入口から他端の前記封止部に亘って該柄カバー本体の内部を長手方向に沿って２つの空間に仕切る仕切り布が設けられ、
前記仕切り布で仕切られた一方の空間に柄部挿入部が形成されると共に、他方の空間に傘カバー収納部が形成され、
前記柄カバー本体に開口部が設けられ、
前記開口部を通して前記傘カバー収納部に傘カバーが出し入れ可能に収納された、
ことを特徴とする傘の柄の袋。
【請求項２】
前記開口部に該開口部を開閉自在とする開閉具が設けられことを特徴とする請求項１に記載の傘の柄の袋。
【発明の詳細な説明】
【技術分野】
【０００１】
本発明は、雨傘や日傘等の傘の柄に装着するための傘の柄の袋に関する。
【背景技術】
【０００２】
雨傘や日傘等の比較的長尺な傘を持ち歩くときには、傘の柄部を腕に引っ掛けると、傘の先端が他の通行人に接触や衝突するなどして他人に迷惑を及ぼす可能性が少なくて済む。しかしながら、傘の柄部を腕に掛ける時に、傘の柄が木製や合成樹脂製等の硬い材質でできているために、傘の重量が直接に腕にかかるので、衝撃を感じたり、痛がる人がいる。このため、傘の柄に袋を装着すると、柄に装着された袋によって傘の重量が和らげられて直接に腕に当らないのでよい。また、傘を差す場合には傘カバーを外すため、傘カバーを落として無くしてしまうことも多かった。
【０００３】
従来、雨傘や日傘等の傘の柄に装着するための傘の柄の袋としては、主として、自己の傘を他人の傘と容易に区別できるように個性化を図ることを目的とした傘の柄の部分を被覆する傘のカバーが提案されている。このものは、傘の柄部分の形状に対応した形の袋状に形成された布製のカバー本体と、カバー本体の開口部の縁に沿って形成された環状の中空部と、カバー本体の開口部に形成され、中空部に連通される紐通し孔と、紐通し孔を介して中空部に通された縛り紐とからなり、カバー本体の表面に装飾が施されたものである（特許文献１）。
【０００４】
一方、各種傘を収納する傘カバーの紛失を防止する目的として、傘本体の中空芯部基端に装着される柄部内に、カバー収納部を形成せしめ、該カバー収納部と連通状とされる開閉自在な蓋部によって傘カバーを収納自在な機構としたカバー収納部付き傘が提案されている（特許文献２）。
【０００５】
【特許文献１】実用新案登録第３０９７３１３号公報
【特許文献２】実用新案登録第３０６２３５２号公報
【発明の開示】
【発明が解決しようとする課題】
【０００６】
上記特許文献１に記載の傘の柄の部分を被覆する傘のカバーは、自己の傘を他人の傘と容易に区別できるように個性化を図ることを目的としたものであって、傘の重量が直接に腕にかかる時の、傘の重量による衝撃を和らげる効果は十分とは言えない。また、上記特許文献２に記載のカバー収納部付き傘は、傘の柄部の内部に傘カバーを収納するもので、柄部内に、カバー収納部を形成しなければならず、一般に市販されている傘に適用できない。
【０００７】
そこで、本発明は、上述の従来技術の不具合を解消することを課題とするものであり、傘の重量が直接に腕にかかる時の、傘の重量による衝撃を十分に和らげることができ、傘を収納する傘カバーを収納することで紛失を防止できる傘の柄の袋を提供することにある。
【課題を解決するための手段】
【０００８】
請求項１に係る傘の柄の袋は、傘の柄部を被覆する傘の柄の袋であって、上記課題を解決するために、前記傘の柄部の形状に馴染むように伸縮性を有するシートにより構成された柄カバー本体を有し、前記柄カバー本体は、長手方向の一端が前記傘の柄部に対する挿入口に形成されると共に他端が封止部に形成された袋状をなし、前記柄カバー本体の一端の前記挿入口から他端の前記封止部に亘って該柄カバー本体の内部を長手方向に沿って２つの空間に仕切る仕切り布が設けられ、前記仕切り布で仕切られた一方の空間に柄部挿入部が形成されると共に、他方の空間に傘カバー収納部が形成され、前記柄カバー本体に開口部が設けられ、前記開口部を通して前記傘カバー収納部に傘カバーが出し入れ可能に収納されたことを特徴とする。
【０００９】
請求項２に係る傘の柄の袋は、請求項１に係る傘の柄の袋において、前記開口部に該開口部を開閉自在とする開閉具が設けられことを特徴とするものである。
【発明の効果】
【００１０】
請求項１に係る傘の柄の袋によれば、使用に際し、傘カバーを複数回折り畳まれた状態として傘カバー体を形成し、スリット状の開口部から傘カバー体を傘カバー収納部に収納し、柄カバー本体の一端の挿入口から傘の柄部を柄部挿入部に突っ込んで挿入する。このため、手間がかからずに、簡単に傘カバーを傘カバー収納部に収納できる。また、傘の柄部を腕に掛ける時に、複数回折り畳まれた状態の傘カバーがクッション機能を果たし、傘の重量による衝撃や荷重を十分に和らげることができ、硬い材質の柄部が直接に腕にかからないので、傘を楽に持ち歩きできる。請求項２に係る傘の柄の袋によれば、開口部を開閉具で閉じることで、傘カバー収納部に収納されている傘カバーが不測に抜け落ちたりすることがなく、紛失する心配がなく安心できる。
【発明を実施するための最良の形態】
【００１１】
以下、本発明の実施の形態に係る傘の柄部の袋を図面を参照して説明する。図１は本発明の実施形態に係る傘の柄部の袋（以下、単に柄部の袋という）の正面図であり、図２は後述の柄カバー本体に設けられた開口部を開口した状態で示す柄部の袋の側面図である。柄部の袋１は、傘の柄部を被覆するための袋であって、傘の柄部の形状に馴染むように伸縮性を有する布により構成された柄カバー本体２を有する。なお、本実施形態では柄カバー本体２の素材は、多少の形状変形に対応できるように伸縮性を有する生地で構成している。
【００１２】
柄カバー本体２は、長手方向の一端が傘の柄部に対する挿入口３に形成されると共に他端が封止された封止部４に形成された袋状をなす。柄カバー本体２の内部には、一端の挿入口３から他端の封止部４に亘って該柄カバー本体２の内部を長手方向に沿って２つの空間に仕切る仕切り布５が設けられ（実施形態では、柄カバー本体２の内側の一面に仕切り布５が縫着され）、仕切り布５で仕切られた一方の空間に（図１では上方の空間に）柄部挿入部６が形成されると共に、他方の空間に（図１では下方の空間に）傘カバー収納部７が形成されている。
【００１３】
図２に示すように、柄カバー本体２には、外部に開口された開口部８が設けられ（この実施形態では、開口部８は柄カバー本体２の長手方向に沿ってスリット状に形成されており）、開口部８を通じて傘カバー収納部７が外部に連通されている。開口部８には該開口部８を開閉自在とする開閉具９が設けられている。なお、図２ではスリット状の開口部８を長手方向に直交する左右方向に拡開した状態を示している。開閉具９は互いに接離自在である面ファスナ９ａ，９ｂで構成され、面ファスナ９ａは開口部８の一方の縁８ａに沿って外面に設けられ、面ファスナ９ｂは開口部８の他方の縁８ｂに沿って裏面に設けられている。なお、本実施形態では、開閉具９は面ファスナで構成されているが、面ファスナに限らず、スライドファスナであってもよい。傘カバー収納部７には傘カバー体１０が出し入れ可能に収納されている。なお、本発明において、開口部８を開閉する開閉具９を設ける構成は必須ではない。
【００１４】
傘カバー体１０は、複数回折り畳まれた状態の傘カバー１１で構成されるものである。図３は、使用に際し、傘カバー１１を複数回折り畳まれた状態として傘カバー体１０を形成する過程を示す図である。長尺な傘カバー１１の長手方向の中央部分を折り返し線として一端を他端に重なるように折り返す［１回目の折り返し、図３（ａ）］。次いで、１／２の長さに折り畳んだ傘カバー１１の長手方向の中央部分を折り返し線として一端を他端に重なるように折り返す［２回目の折り返し、図３（ｂ）］。さらに、１／４の長さに折り畳んだ傘カバー１１の長手方向の中央部分を折り返し線として一端を他端に重なるように折り返す［３回目の折り返し、図３（ｃ）］。以上のようにして形成した傘カバー体１０［図３（ｄ）参照］を、拡大して側面から見た状態を図３（ｅ）に示している。
【００１５】
傘カバー体１０をスリット状の開口部８から傘カバー収納部７に収納した後、図２の矢印Ａで示すように、開口部８の一方の縁８ａを傘カバー体１０の上に被せ、この後、開口部８の他方の縁８ｂを開口部８の一方の縁８ａの上に被せ、図２の矢印Ｂで示すように、面ファスナ９ａ，９ｂにより構成された開閉具９で開口部８を閉じる。このため、手間がかからずに、簡単に傘カバー１１を傘カバー収納部７に収納できる。そして、柄カバー本体２の一端の挿入口３から傘の柄部１２を柄部挿入部６に突っ込んで挿入する。なお、一般で市販されている傘の柄部１２は、逆Ｊ字形をなしているが、柄カバー本体２は伸縮性を有するシートにより構成されているため、傘の柄部の形状に程好く馴染む。
【００１６】
図４は、柄部の袋１を傘の柄部１２に装着した状態を示した図である。また、傘の柄部１２を腕に掛ける時に、複数回折り畳まれた状態の傘カバーによる傘カバー体１０がクッション機能を果たし、傘の重量による衝撃や荷重を十分に和らげることができ、硬い材質でなる柄部１２が直接に腕にかからないので、腕が痛くならずに傘を楽に持ち歩きできる。なお、柄カバー本体２の挿入口３の縁に沿ってゴム紐１３を取り付けると（伸縮性を有するリブ材を縫い付ける等してシャーリング部分を設けて挿入口３の開口を絞ると）、柄部１２からの柄部の袋１の抜け止めをすることができる。
【００１７】
図５は、本発明の変形実施形態に係る傘の柄部の袋を傘の柄部に装着した状態を示した図である。変形実施形態においては、開口部８は柄カバー本体２に形成した切れ目よりなる。切れ目よりなる開口部８を介して傘カバー体１０を傘カバー収納部７に入れたり、傘カバー収納部７から取り出したりすることができる。また、変形実施形態においては、開閉具９は、開口部８の側縁に沿って基端縁を柄カバー本体２に縫い付けられると共に開口部８を上方から開閉可能に覆うフラップ（蓋体）９ｄと、互いに吸引し合う２つの磁石式のボタン９ｃ，９ｃとによりなり、一方の磁石式のボタン９ｃがフラップ９ｄの先端部分に取り付けられ、他方の磁石式のボタン９ｃが柄カバー本体２に取り付けられる。フラップ９ｄを開口部８に対して磁石式のボタン９ｃ，９ｃを介して開けたり（図５の一点鎖線線で示す部分）、閉めたりすることにより（図５の実線で示す部分）、開口部８をフラップ９ｄで覆ったり、開口部８を外部に露出させたりすることができる。
【００１８】
図６は本発明の第２実施形態に係る傘の柄部の袋の正面図である。第２実施形態においては、開口部８を開閉する開閉具を設けていない。図７は図６のＡ−Ａ線断面図であり、図８は図６のＢ−Ｂ線断面図である。図６乃至図８に示すように、第２実施形態においては、柄カバー本体２の両側縁部を上下で重ね合わせて、所謂打ち合わせ部分を形成し、長手方向の中央部分を除いて図６及び図７に示すように打ち合わせ部分同士を縫い合せる。図６及び図７において符号１４は、その縫い目である。これにより、同時に、長手方向の中央部分の縫い合せていない打ち合わせ部分に開口部８が形成される。使用に際しては、開口部８を介して傘カバー体１０を傘カバー収納部７に入れたり、傘カバー収納部７から取り出したりすることができる。
【図面の簡単な説明】
【００１９】
【図１】本発明の実施形態に係る傘の柄部の袋の正面図である。
【図２】柄カバー本体に設けられた開口部を開口した状態で示す傘の柄部の袋の側面図である。
【図３】使用に際し、傘カバーを複数回折り畳まれた状態として傘カバー体を形成する過程を示す図である。
【図４】本発明の実施形態に係る傘の柄部の袋を傘の柄部に装着した状態を示した図である。
【図５】本発明の変形実施形態に係る傘の柄部の袋を傘の柄部に装着した状態を示した図である。
【図６】本発明の第２実施形態に係る傘の柄部の袋の正面図である。
【図７】図６のＡ−Ａ線断面図である。
【図８】図６のＢ−Ｂ線断面図である。
【符号の説明】
【００２０】
１  柄部の袋
２  柄カバー本体
３  挿入口
４  封止部
５  仕切り布
６  柄部挿入部
７  傘カバー収納部
８  開口部
８ａ  一方の縁
８ｂ  他方の縁
９  開閉具
９ａ  面ファスナ
９ｂ  面ファスナ
９ｃ  磁石式のボタン
９ｄ  フラップ
１０  傘カバー体
１１  傘カバー
１２  柄部
１３  ゴム紐
１４  縫い目
【要約】
【課題】傘の重量が直接に腕にかかる時の、傘の重量による衝撃を十分に和らげることができ、傘を収納する傘カバーを収納することで紛失を防止できる傘の柄の袋を提供する。
【解決手段】傘の柄部の形状に馴染むように伸縮性を有するシートにより構成された柄カバー本体２を有し、柄カバー本体２は、長手方向の一端が傘の柄部に対する挿入口３に形成されると共に他端が封止部４に形成された袋状をなす。柄カバー本体２は、挿入口３から封止部４に亘って該柄カバー本体２の内部を長手方向に沿って２つの空間に仕切る仕切り布５が設けられ、一方の空間に柄部挿入部６が形成され、他方の空間に傘カバー収納部７が形成される。柄カバー本体２に開口部８が設けられ、開口部８を通じて傘カバー収納部７が連通される。傘カバー収納部７に傘カバーが複数回折り畳まれた状態の傘カバー体１０が出し入れ可能に収納される。
【選択図】図１【図１】
0004125775.tif 000002
【図２】
0004125775.tif 000003
【図３】
0004125775.tif 000004
【図４】
0004125775.tif 000005
【図５】
0004125775.tif 000006
【図６】
0004125775.tif 000007
【図７】
0004125775.tif 000008
【図８】
0004125775.tif 000009